(57)【要約】      （修正有）【課題】無菌環境を維持したままでの物資の移送を実現できる無菌材料移送方法のを提供。【解決手段】無菌材料を無菌空間１５０の外部と内部の間で移送する際に、隣接する薬液貯留部１に殺菌薬液を貯留して、無菌空間１５０の外部と内部の間を無菌に封止すると共に、殺菌薬液に無菌材料の表面全体が接触するように無菌材料を浸漬させることで、無菌空間１５０を汚染せずに無菌空間１５０の内部と外部の間で無菌材料を移送する、無菌材料移送方法。【選択図】図１
2017099622.tif 000002
【特許請求の範囲】
【請求項１】
無菌材料を無菌空間の外部と前記無菌空間の内部との間で移送する際に、
無菌空間に隣接する薬液貯留部に殺菌薬液を貯留して、前記無菌空間の外部と前記無菌空間の内部との間を無菌に封止すると共に、
前記殺菌薬液に前記無菌材料の表面全体が接触するように前記無菌材料を浸漬させることで、
前記無菌空間を汚染せずに前記無菌空間の外部と前記無菌空間の内部との間で前記無菌材料を移送する、
無菌材料移送方法。
【請求項２】
前記無菌空間の外部および前記薬液貯留部を接続する第１移送部を開放させると共に、前記無菌空間の内部および前記薬液貯留部を無菌に接続する第２移送部を封止し、
その後、前記無菌空間の外部から前記薬液貯留部へと前記無菌材料を収容し、
その後、前記第１移送部を封止して前記薬液貯留部を前記殺菌薬液で完全に満たすことで、前記無菌空間の外部と前記無菌空間の内部との間を無菌に封止すると共に、前記殺菌薬液に前記無菌材料の表面全体が接触するように前記無菌材料を浸漬させて前記無菌材料の表面全体を滅菌し、
その後、前記第１移送部を封止すると共に前記第２移送部を開放し、
その後、前記薬液貯留部から前記無菌空間へと前記無菌材料を取り出す、
請求項１に記載の無菌材料移送方法。
【請求項３】
前記薬液貯留部において前記殺菌薬液に前記無菌材料を浸漬させ、
その後、前記薬液貯留部に残留する空気を吸引することで、前記薬液貯留部を前記殺菌薬液で完全に満たす、
請求項２に記載の無菌材料移送方法。
【請求項４】
前記無菌空間の外部から前記薬液貯留部へと前記無菌材料を収容した後に、前記薬液貯留部に前記殺菌薬液を注入することで、前記薬液貯留部を前記殺菌薬液で完全に満たす、
請求項２に記載の無菌材料移送方法。
【請求項５】
無菌空間の外部と前記無菌空間の内部との間で前記無菌空間を汚染せずに無菌材料を移送する無菌材料移送装置であって、
無菌空間に隣接され、殺菌薬液が貯留されると、前記無菌空間の外部と前記無菌空間の内部との間を無菌に封止し、かつ、前記殺菌薬液に前記無菌材料の表面全体が接触するように前記無菌材料を浸漬可能となる、薬液貯留部と、
前記無菌空間の外部と前記薬液貯留部との間を、前記無菌材料を移送可能に接続する、第１移送部と、
前記無菌空間の内部と前記薬液貯留部との間を、前記無菌材料の表面全体の無菌状態を維持したままで前記無菌材料を移送可能に接続する、第２移送部と
を備える、無菌材料移送装置。
【請求項６】
前記第１移送部と前記第２移送部とを封止した状態で前記薬液貯留部から空気および前記殺菌薬液の少なくともいずれか一方を含む流体を排出するための流体排出部を備える、請求項５に記載の無菌材料移送装置。
【請求項７】
前記第１移送部と前記第２移送部とを封止した状態で前記薬液貯留部に殺菌薬液を注入する薬液注入部を備える、請求項６に記載の無菌材料移送装置。
【請求項８】
請求項５ないし７のいずれかに記載の無菌材料移送装置と、
前記無菌空間としての無菌操作室と、を備え、
前記無菌材料が細胞である、
培養装置。
【発明の詳細な説明】
【技術分野】
【０００１】
本発明は、無菌材料移送方法に関する。
【背景技術】
【０００２】
特許文献１は、フロースルー気相除染装置を開示する。同装置は、除染のために装填物を受容するアイソレーションチャンバーを規定する少なくとも１つのアイソレーターユニットを備え、かつ、少なくとも１つのアイソレーターユニットに一体的に連結された気相除染剤生成システムを備える。気相除染剤発生システムはキャリアガスと気化されたＨ2Ｏ2のような除染剤との組合せをアイソレーションチャンバーに注入する１つ以上の気化器を備える。送風機は、キャリアガスを１つ以上の気化器を介して除染剤気体の補給のために再循環させる。あるいは、自動化装填システムは容器の無菌的な装填のためにアイソレーションチャンバー中で提供される。コンベヤシステムは、容器アイソレーションチャンバーの中へ、そして外へ輸送する。除染装置は除染操作を制御するために電子制御システムを備える。
【先行技術文献】
【特許文献】
【０００３】
【特許文献１】特表２００１−５１８８１６号公報
【発明の概要】
【０００４】
本開示の第１側面にかかる無菌材料移送方法は、無菌材料を無菌空間の外部と前記無菌空間の内部との間で移送する際に、薬液貯留部に殺菌薬液を貯留して、前記無菌空間の外部と前記無菌空間の内部との間を無菌に封止すると共に、前記殺菌薬液に前記無菌材料の表面全体が接触するように前記無菌材料を浸漬させることで、前記無菌空間を汚染せずに前記無菌空間の外部と前記無菌空間の内部との間で前記無菌材料を移送する。
【図面の簡単な説明】
【０００５】
【図１】図１は、第１実施形態の無菌材料移送装置の概略構成の一例を示す模式図である。
【図２】図２は、第１実施形態の第１変形例にかかる無菌材料移送装置の概略構成の一例を示す模式図である。
【図３】図３は、第１実施形態の第２変形例にかかる無菌材料移送装置の概略構成の一例を示す模式図である。
【図４】図４は、実施例にかかる無菌材料移送方法を示す図であって、無菌空間と薬液貯留部とを用意するステップを示す図である。
【図５】図５は、実施例にかかる無菌材料移送方法を示す図であって、無菌空間と薬液貯留部とを接合するステップを示す図である。
【図６】図６は、実施例にかかる無菌材料移送方法を示す図であって、薬液貯留部に殺菌薬液を貯留して、無菌空間の外部と無菌空間の内部との間を無菌に封止し、かつ、殺菌薬液に無菌材料の表面全体が接触するように無菌材料を浸漬させるステップを示す図である。
【図７】図７は、実施例にかかる無菌材料移送方法を示す図であって、表面が滅菌された無菌材料を薬液貯留部から無菌空間へと移動させるステップを示す図である。
【発明を実施するための形態】
【０００６】
本発明者は、再生医療等において必要となる小規模な細胞培養を効率的に行う方法について鋭意検討した。その結果、以下の知見を得た。
【０００７】
まず、異分野の技術を含め、従来から存在する構成について本発明者が独自の視点から検討した結果を示す。なお、以下の内容は本発明者独自の検討結果であり、検討結果が従来技術であること、および、これらの内容が当業者において本開示と何らかの関連性を有すると認識できるものであること、を意味するものではない。また、以下の内容はあくまで本開示の理解を助けるために記載されるものであり、本開示を限定するものではない。
【０００８】
手術室、医薬品および医療機器の製造所では、塵に付着した菌体のほか、空気中を浮遊する真菌の胞子等により、患部および製造物等が汚染され患者に感染症をもたらすため無菌性が要求される。そのため外部環境より隔絶された無菌環境が望まれる。
【０００９】
食品製造用途でも異物、病原菌等の汚染物が混入する可能性を排除するために、外部環境より隔絶された無菌環境が構築されることがある。
【００１０】
さらに、放射性物質、毒劇物、および遺伝子組み換え生物等の拡散を防ぐ目的でも、外部環境より隔絶された環境が構築されうる。
【００１１】
外部への拡散が極めて危険な感染症に罹患した患者や動物の搬送および治療において、外部環境より隔絶された環境が構築されることもある。
【００１２】
外部環境より隔絶された無菌環境を構築する手段として無菌箱が挙げられる。しかし無菌箱は無菌環境を構築し維持できるが、維持のためには外部環境から閉鎖され続ける必要がある。そのため物資の搬入および搬出の際に外部環境と接続する必要があり、その度に無菌箱内を滅菌する必要があった。
【００１３】
クリーンベンチはフィルターを通して局所的な作業空間に清浄な空気を送り続けることにより外部環境の汚染された空気を排除することができる。一度構築した無菌環境を維持したままで作業が可能であることから、無菌箱より便利である。しかし外部より持ちこんだ資材表面や作業者の手等は汚染されているため、無菌環境が損なわれるリスクを完全には排除できない。また作業者が適切な無菌操作を行わないと、送り続けられている清浄な空気の流れが乱され、外部の汚染された空気が侵入し、無菌環境を維持することができない。そのためクリーンベンチ内の無菌環境は外部環境の清浄度の影響を受ける。
【００１４】
外部環境の清浄度を向上させる手段としてクリーンルームが設置されることがある。クリーンルームを構築する場合、建屋内で閉鎖した区画に対し、エアフィルターを通じて無塵の清浄な空気を送り込み、当該区画の気圧を外部の区画の気圧より高くすること（陽圧）で、塵、菌体、真菌の胞子等の汚染物の侵入を防ぐ。
【００１５】
クリーンルーム内で作業を行う際、多くは作業者である人間が立ち入る。作業者の体調を維持するために冷暖房による温度管理や湿度の維持が必要である。
【００１６】
作業者は汚染された塵の発生源である。普段外部環境で活動する全ての人間の表面と内部には多数の細菌、真菌、真菌の胞子、Demodex folliculorum等のダニが付着または活動しているほか、ハウスダスト等の塵、および、皮膚の角質および皮脂等人間そのものに由来する塵等が発生する。そのためクリーンルームに人間が立ち入る際には、クリーンルーム内の清浄度を保つために、無塵衣、無菌衣、マスク、帽子、手袋等を装備し汚染物の飛散を防護する必要がある。
【００１７】
作業員が無塵衣、無菌衣、マスク、帽子、手袋等を装備するために男女別の更衣室が必要とされる。緊急時に備え非常口を設置する必要もある。クリーンルームへの作業員の入退室および原材料の出し入れの際には、汚染物質の侵入を防ぐためにエアシャワー等を設置した二重扉の出入り口またはパスボックス等が必要となる。
【００１８】
特に無塵が強く要求される半導体工場等のクリーンルームでは内部で使用する用具の中にも塵を発生させるものがある（例えば、鉛筆等の筆記用具）。記録用の紙も塵を発生させる恐れかあるので、塵が発生しない無塵紙を使用する場合もある。
【００１９】
更にクリーンルーム内の清浄環境が当初の計画通り構築維持されているかモニタリングを行い、または確認する必要がある。異常があればクリーンルームの清浄環境を再構築する必要がある。
【００２０】
クリーンルームの清浄な環境を構築するためには、塵を発生させない清掃用具を使った高度な清掃が必要である。所望の清浄度が達成されるまで清浄な空気を送り込む他、ホルマリン、過酢酸、および過酸化水素等の除染剤の噴霧を行い、無菌検査を行うことで、除染を達成する必要がある。
【００２１】
このようにクリーンルームの設置と運営は多大な設置コストと高い専門性を伴う労力を必要とする。そのため部屋全体をクリーンルームとするのではなく、無菌性が求められる局所的な作業区域を設定し、当該区域への作業員の立ち入りを不要とするアイソレータシステム、および、アクセス制限バリアシステム：ラブス（Restricted Access Barrier System : RABS）等の先進的な無菌操作法関連技術の導入が進んでいる。
【００２２】
先進的な無菌操作法関連技術では、汚染の発生源である作業者から物理的に隔離された空間に対し除染を行い、高度に清浄化した環境を達成し維持する。
【００２３】
たとえば、アイソレータ技術がある（特許文献１：特表２００１−５１８８１６号公報）。無菌操作が必要な作業スペースは作業員から隔離されている。製造装置類は隔離されたアイソレータ内に存在し、グローブを介して作業員が操作出来る。そのため無菌区域に汚染原因である作業員が出入りする必要がない。内部は清浄な空気が絶えず送り込まれ陽圧を保っている。万が一製造中にグローブにピンホール等が発生しても内部の陽圧清浄空気により外部からの汚染物を侵入させない。またアイソレータの壁に微細な隙間があっても、内部が陽圧であるため、外部からの汚染物質の侵入を防ぐことができる。部屋全体を無菌化するクリーンルームと比較して無菌環境を大幅に縮小でき、コストや労力の軽減を図ることができる。
【００２４】
また特表２００１−５１８８１６号公報で示されるアイソレータが遠心分離機、顕微鏡、培養器等多数の機器類を内包しているのに対し、これら複数の機器類を必要なものだけを連結可能とし、更なる汎用性とコストの低減を目指した細胞培養処理システムがある（特許文献２：特開２０１２−１４７６８５）。
【００２５】
更に人件費を低減させ、均一な再生医療製品を製造するための自動培養装置が複数開発されている（特許文献３：国際公開第２００４／０１１５９３号パンフレット（図２）、特許文献４：特開２００８−５４６９０号公報（図１）、特許文献５：特開２００９−２９１１０４）。
【００２６】
他の先進的な無菌操作法として使用されるアイソレータとして特開２０１５−０６４１６４号公報（特許文献６）で示される乾燥気体供給手段と除染ガスを供給する配管を共通化するアイソレータがある。
【００２７】
しかしながら、アイソレータおよび自動培養装置等により、クリーンルームと比較してコストや労力が軽減されても、アイソレータおよび自動培養装置等は依然として高額な機器であり、更なる導入コストと維持コストの低減が望まれる。
【００２８】
更にアイソレータは閉鎖されているが完全に密閉された空間ではない。そのため内部を陽圧管理することで外部からの汚染物の侵入を防いでいる（非特許文献１：無菌操作法による無菌医薬品の製造に関する指針、厚生労働省医薬食品局監視指導・麻薬対策課事務連絡  平成２３年４月２０日）。そのため外部の清浄度に影響される可能性があり、清浄度レベルグレードＤ以上（非特許文献１：厚生労働省医薬食品局監視指導・麻薬対策課、『「無菌操作法による無菌医薬品の製造に関する指針」の改訂について』、事務連絡平成23年4月20日、５５頁；非特許文献２：第１６改正日本薬局方、表１「無菌医薬品製造のための空気清浄度」、２０４７頁）のクリーンルームに設置することとされており、アイソレータの設置においてもクリーンルームの設置が求められている。
【００２９】
大量生産される工業品は規格の均一化が可能であり、大量の製造物から成る製造ロットごとに安全性を担保する試験を行うことができる点で、スケールメリットが存在する。しかしながら、個別化医療に該当する再生医療等において、同一ロットの製造物を使用できる患者は１人またはごく少数である。このため安全性を担保するには、製造物（移植材料等）に対して個々に安全性を担保するための試験が必要であり、スケールメリットが存在しない。血小板および角膜内皮等、拒絶反応がなく大量生産が将来可能になることが期待されている組織もある。しかし、動物から採取した細胞の分裂回数は有限であることから、やはり小ロットでの生産となる。
【００３０】
また大量生産が可能な医薬品および医療機器においても、希少疾患を対象とする場合は対象患者が少ないため、クリーンルーム等の先進的な無菌操作法を用いると製造に必要な投資を回収できない。そのため多くの希少疾患について、有効と考えられる医薬品候補があっても積極的な開発を行うことができていない。
【００３１】
このような希少疾患向けの医薬品、即ちオーファンドラッグもスケールメリットが存在しないため、現在の先進的な無菌操作法でもってしても製品が高額となる。小ロットまたは個別化医療が実施可能となるように、大量生産に対応する能力は低くても更なるコスト削減が可能な技術が求められる。
【００３２】
個別化医療および希少疾患医薬品をはじめとする、無菌環境で製造する必要があるものの大量生産による低コスト化等が困難な製品ないし材料を、低コストで製造または加工可能な無菌環境を提供することが求められる。
【００３３】
上記課題を達成するため、本発明者は鋭意検討の結果、気密性が実現可能で最も安価であり、外部から内部環境を操作できるな無菌箱に、簡便かつ容易に極めて短時間で表面滅菌可能なパスボックスを備え付けることによって、無菌箱で問題となる、無菌環境を維持したままでの物資の移送を実現できることを着想した。すなわち液体の殺菌剤で滅菌可能な殺菌剤浸漬式パスボックスを設置することにより滅菌時間を１０分に短縮できる。これにより無菌箱で達成できなかった内部環境を無塵および無菌環境に保ったまま資材を搬入ないし排出することができる。
【００３４】
本開示は殺菌剤浸漬式パスボックスにより安価な無菌箱をはじめとする無菌環境について、短時間に資材または製品または廃棄物を搬入または搬出できる。本開示により多品種小ロットの医薬品および再生医療等製品を低コストで製造可能になることが期待される。
【００３５】
なお、上述の説明では医薬品、再生医療等製品、小ロットの製品等について説明したが、本開示は他の製品についても適用可能である。また、本開示において無塵環境の構築ないし維持は必須とされなくてもよい。
【００３６】
以下、添付図面を参照しつつ、実施形態について説明する。なお、以下の実施形態はあくまで一例であり、本開示を限定するものではない。
【００３７】
以下で説明する実施形態は、いずれも本開示の望ましい一具体例を示すものである。以下の実施形態で示される数値、形状、材料、構成要素、構成要素の配置位置及び接続形態、ステップ、ステップの順序などは、あくまで一例であり、本開示を限定するものではない。また、以下の実施形態における構成要素のうち、本開示の最上位概念を示す独立請求項に記載されていない構成要素については、より望ましい形態を構成する任意の構成要素として説明される。また、図面において、同じ符号が付いたものは、説明を省略する場合がある。また、図面は理解しやすくするために、それぞれの構成要素を模式的に示したもので、形状及び寸法比等については正確な表示ではない場合がある。また、製造方法においては、必要に応じて、各工程の順序等を変更でき、かつ、他の公知の工程を追加できる。
【００３８】
（第１実施形態）
第１の無菌材料移送方法は、無菌材料を無菌空間の外部と無菌空間の内部との間で移送する際に、無菌空間に隣接する薬液貯留部に殺菌薬液を貯留して、無菌空間の外部と無菌空間の内部との間を無菌に封止すると共に、殺菌薬液に無菌材料の表面全体が接触するように無菌材料を浸漬させることで、無菌空間を汚染せずに無菌空間の外部と無菌空間の内部との間で無菌材料を移送するものである。
【００３９】
第２の無菌材料移送方法は、第１の無菌材料移送方法であって、無菌空間の外部および薬液貯留部を接続する第１移送部を開放させると共に、無菌空間の内部および薬液貯留部を無菌に接続する第２移送部を封止し、その後、無菌空間の外部から薬液貯留部へと無菌材料を収容し、その後、第１移送部を封止して薬液貯留部を殺菌薬液で完全に満たすことで、無菌空間の外部と無菌空間の内部との間を無菌に封止すると共に、殺菌薬液に無菌材料の表面全体が接触するように無菌材料を浸漬させて無菌材料の表面全体を滅菌し、その後、第１移送部を封止すると共に第２移送部を開放し、その後、薬液貯留部から無菌空間へと無菌材料を取り出すものである。
【００４０】
第３の無菌材料移送方法は、第２の無菌材料移送方法であって、薬液貯留部において殺菌薬液に無菌材料を浸漬させ、その後、薬液貯留部に残留する空気を吸引することで、薬液貯留部を殺菌薬液で完全に満たすものである。
【００４１】
第４の無菌材料移送方法は、第２の無菌材料移送方法であって、無菌空間の外部から薬液貯留部へと無菌材料を収容した後に、薬液貯留部に薬液貯留部を注入することで、薬液貯留部を殺菌薬液で完全に満たすものである。
【００４２】
第５の無菌材料移送装置は、無菌空間の外部と無菌空間の内部との間で無菌空間を汚染せずに無菌材料を移送する無菌材料移送装置であって、無菌空間に隣接され、殺菌薬液が貯留されると、無菌空間の外部と無菌空間の内部との間を無菌に封止し、かつ、殺菌薬液に無菌材料の表面全体が接触するように無菌材料を浸漬可能となる、薬液貯留部と、無菌空間の外部と薬液貯留部との間を、無菌材料を移送可能に接続する、第１移送部と、無菌空間の内部と薬液貯留部との間を、無菌材料の表面全体の無菌状態を維持したままで無菌材料を移送可能に接続する、第２移送部とを備えるものである。
【００４３】
第６の無菌材料移送装置は、第５の無菌材料移送装置であって、第１移送部と第２移送部とを封止した状態で薬液貯留部から空気および殺菌薬液の少なくともいずれか一方を含む流体を排出するための流体排出部を備えるものである。
【００４４】
第７の無菌材料移送装置は、第６の無菌材料移送装置であって、第１移送部と第２移送部とを封止した状態で薬液貯留部に殺菌薬液を注入する薬液注入部を備えるものである。
【００４５】
第８の培養装置は、第５ないし７のいずれかに記載の無菌材料移送装置と、無菌空間としての無菌操作室と、を備え、無菌材料が細胞である。
【００４６】
第９の無菌操作装置は、第５ないし７のいずれかに記載の無菌材料移送装置と、無菌空間としての無菌操作室と、を備える。
【００４７】
図１は、第１実施形態の無菌材料移送装置の概略構成の一例を示す模式図である。以下、図１を参照しつつ、第１実施形態の無菌材料移送方法および無菌材料移送装置について説明する。
【００４８】
第１実施形態の無菌材料移送方法では、無菌材料を無菌空間１５０の外部と無菌空間１５０の内部との間で移送する際に、無菌空間１５０に隣接する薬液貯留部１に殺菌薬液を貯留して、無菌空間１５０の外部と無菌空間１５０の内部との間を無菌に封止する（ステップＡ）。また、殺菌薬液に無菌材料の表面全体が接触するように無菌材料を浸漬させる（ステップＢ）。そして、無菌空間１５０を汚染せずに無菌空間１５０の外部と無菌空間１５０の内部との間で無菌材料を移送する（ステップＣ）。
【００４９】
薬液貯留部１は、無菌空間１５０に隣接する。薬液貯留部１は、無菌空間１５０の内部と無菌空間１５０の外部との間に配設される。
【００５０】
「薬液貯留部１に殺菌薬液を貯留して、無菌空間１５０の外部と無菌空間１５０の内部との間を無菌に封止する」とは、薬液貯留部１に殺菌薬液を貯留することにより、薬液貯留部１よりも無菌空間１５０に近い側へと薬液貯留部１を通じて雑菌等が侵入できないようにすることを言う。
【００５１】
「無菌材料の表面全体が接触する」とは、無菌材料の表面のうち、無菌空間１５０に導入した場合に無菌空間１５０の内部空間に暴露される表面、の全部に殺菌薬剤が接触することをいう。かかる接触が実現されるように無菌材料を浸漬させることで、無菌材料の表面が滅菌される。
【００５２】
ステップＡとステップＢとを実行する順序は特に限定されない。ステップＡ、ステップＢの順に実行されてもよい。ステップＢ、ステップＡの順に実行されてもよい。ステップＡとステップＢとが同時に実行されてもよい。ステップＣはステップＡおよびステップＢのいずれよりも後に実行することができる。
【００５３】
具体的には、ステップＡおよびステップＢの操作を、薬液貯留部１への殺菌薬液の供給を開始するステップ（ステップ１）、薬液貯留部１への殺菌薬液の供給を完了して無菌空間１５０の外部と無菌空間１５０の内部との間の封止を完成するステップ（ステップ２）、薬液貯留部１へ無菌材料を導入するステップ（ステップ３）、殺菌薬液に無菌材料の全体を浸漬させるステップ（ステップ４）の４つに分けた場合に、それぞれのステップの順番は特に限定されない。ただし、ステップ２はステップ１の後に行われる。また、ステップ４はステップ３の後に行われる。さらに、ステップ４はステップ１の後に行われる。
【００５４】
薬液貯留部１への殺菌薬液の供給を開始（ステップ１）した後に、薬液貯留部１に無菌材料が導入（ステップ３）されてもよい。このとき、ステップ１、ステップ２、ステップ３、ステップ４がこの順に実行されてもよい（第１のフロー）。あるいは、ステップ１、ステップ３、ステップ４、ステップ２がこの順に実行されてもよい（第２のフロー）。あるいは、ステップ１、ステップ３、ステップ２、ステップ４がこの順に実行されてもよい（第３のフロー）。
【００５５】
薬液貯留部１へ無菌材料が導入（ステップ３）された後に、薬液貯留部１への殺菌薬液の供給が開始（ステップ１）されてもよい。このとき、ステップ３、ステップ１、ステップ２、ステップ４がこの順に実行されてもよい（第４のフロー）。あるいは、ステップ３、ステップ１、ステップ４、ステップ２がこの順に実行されてもよい（第５のフロー）。
【００５６】
ステップ４およびステップ２がこの順に行われる場合（第２のフロー、第５のフロー）において、薬液貯留部１への殺菌薬液の供給により実行されてもよいし、薬液貯留部１からの余剰な空気の強制排出により実行されてもよい。
【００５７】
ステップ２およびステップ４がこの順に実行される場合（第１のフロー、第３のフロー、第４のフロー）は、例えば、薬液貯留部１と無菌空間１５０との間に蓋および仕切り板等を設けることなく、殺菌薬液が無菌空間１５０に直接露出することで、無菌空間１５０を外部から無菌に封止し、殺菌薬液を薬液貯留部１に貯留したままの状態で無菌空間１５０の滅菌が行われる態様とすることができる。無菌材料は、殺菌薬液を通って無菌空間１５０へと移送される。この場合、薬液貯留部１の内部での無菌材料の移動は、薬液貯留部１の内部に設けられて無菌空間１５０の外部から回転可能に構成された回転テーブルを用いて実行されてもよいし、無菌空間１５０の壁に設けられたグローブを用いて実行されてもよい。
【００５８】
図１に例示するように、第１実施形態の無菌材料移送装置１００は、薬液貯留部１と、第１移送部１０と、第２移送部２０とを備えている。第１実施形態の無菌材料移送装置１００は、無菌空間１５０の外部と無菌空間１５０の内部との間で無菌空間１５０を汚染せずに無菌材料を移送するためのものである。なお以下に述べる変形は、第１変形例、第２変形例、第３変形例、実施例についても適用可能である。
【００５９】
無菌空間１５０は、当該空間内部での操作（培養、分解、抽出等）の対象となる細胞等を除き、その他の雑菌等が存在しないようにコントロールされた空間である。無菌空間１５０は、具体的には例えば、再生医療に用いられる細胞および組織の少なくともいずれか一方を培養する空間、希少疾病を対象とする医薬品（オーファンドラッグ）を無菌状態で製造するためのシステムを格納する空間等とすることができる。医薬品としては、例えば、抗体医薬、バイオ製剤等とすることができる。
【００６０】
無菌空間１５０は、外部の空間から雑菌およびウイルス等が侵入しないように隔離されている。無菌空間１５０は、具体的には例えば、完全に密封されていてもよいし、フィルタ等により気体分子の出入りが可能となるように封止されていてもよい。フィルタとしては、通過した空気が無菌状態となるフィルタ（以下、「無菌フィルタ」）とすることができ、具体的には例えば、ＨＥＰＡフィルタ、ＵＬＰＡフィルタ、シリンジフィルタ、メンブランフィルタ等を使用することができる。無菌フィルタにより気体分子の出入りが可能とされている場合において、無菌空間１５０の内部には電源に接続された加温装置、攪拌装置等が格納されていてもよい。無菌フィルタを通じてポンプで空気が無菌空間１５０の内部へと供給されてもよい。
【００６１】
無菌空間１５０は、グローブボックスとして構成されていてもよい。具体的には、例えば、無菌空間１５０を構成する壁に孔が配設されており、その孔にゴム製のグローブが設けられていてもよい。かかる構成では、内部の無菌状態を維持したままで無菌空間１５０の内部での人間による作業が容易に可能となる。
【００６２】
薬液貯留部１は、殺菌薬液が貯留されると、無菌空間１５０の外部と無菌空間１５０の内部との間を無菌に封止し、かつ、殺菌薬液に無菌材料の表面全体が接触するように無菌材料を浸漬可能となる。殺菌薬液に無菌材料の表面全体を接触させることで、例えば、約１０分程度での迅速な滅菌が可能となる。霧吹きで殺菌剤を噴霧する方法等に比べ、より確実かつ迅速な滅菌が可能となる。
【００６３】
薬液貯留部１は、殺菌薬液に無菌材料の表面全体が接触するように、無菌材料よりも十分大きくてもよい。
【００６４】
「無菌材料」とは、無菌空間１５０を使用するに当たり、少なくとも外表面を無菌状態としなければ無菌空間１５０の内外を移送することが望ましくない材料をいう。無菌材料は、無菌空間１５０の内外を迅速に移送することが必要な材料（細胞、血清、タンパク質、酵素、変質しやすい栄養素等）であってもよい。無菌材料として、具体的には例えば、培養細胞、抗体、試薬、培養培地等が含まれ得る。培養細胞、抗体試薬、培養培地等は、滅菌可能なケースの内部に格納されていてもよい。この場合、ケース内部はガンマ線等で滅菌されてもよい。ケース内部に目的の細胞等が格納されている場合には、無菌空間１５０内部へのケースの搬入に当たり、ケース内部を滅菌しなくてもよい。
【００６５】
無菌材料は、内部に気体を含んだままで密封された遠心管を、上部に網の蓋を設けた網製のケースに格納したものであってもよい。かかる構成では、無菌材料を殺菌薬液に浸漬する際、遠心管が浮力により浮き上がろうとしても、網の蓋により浮き上がりが防止され、遠心管の表面の全体を容易に殺菌薬液に接触させることができる。
【００６６】
殺菌薬液としては、例えば、過酢酸殺菌剤（濃度は例えば０．３６％）、過酸化水素、およびホルマリン等を用いることができる。殺菌薬液は液体である。本明細書において、「液体」とは、微粒子化された液体を含まない。
【００６７】
薬液貯留部１は、それ自体で殺菌薬液を貯留可能に構成されていてもよい。この場合、例えば、第１移送部１０および第２移送部２０を封止しなくても、薬液貯留部１が殺菌薬液を貯留可能である。具体的には、薬液貯留部１の上面に設けられた開口部として第１移送部１０および第２移送部２０が形成されているような場合である。
【００６８】
薬液貯留部１は、第１移送部１０と協同して殺菌薬液を貯留可能に構成されていてもよい。この場合、第１移送部１０を封止することで初めて、薬液貯留部１が殺菌薬液を貯留可能となる。具体的には、薬液貯留部１の側面に無菌材料が通過可能な開口部として第１移送部１０が形成されているような場合である。
【００６９】
薬液貯留部１は、第２移送部２０と協同して殺菌薬液を貯留可能に構成されていてもよい。この場合、第２移送部２０を封止することで初めて、薬液貯留部１が殺菌薬液を貯留可能となる。具体的には、薬液貯留部１の側面に無菌材料が通過可能な開口部として第２移送部２０が形成されているような場合である。
【００７０】
薬液貯留部１は、第１移送部１０および第２移送部２０と協同して殺菌薬液を貯留可能に構成されていてもよい。この場合、第１移送部１０および第２移送部２０を封止することで初めて、薬液貯留部１が殺菌薬液を貯留可能となる。具体的には、薬液貯留部１の側面に無菌材料が通過可能な開口部として第１移送部１０および第２移送部２０が形成されているような場合である。
【００７１】
殺菌薬液は、第１移送部１０を介して薬液貯留部に導入されてもよいし、第２移送部２０を介して薬液貯留部に導入されてもよい。あるいは、第１移送部１０および第２移送部２０とは別個独立に設けられた薬液導入部（図示せず）を介して薬液貯留部に導入されてもよい。
【００７２】
薬液貯留部１は、透明な材料（プラスチック等）で構成されていてもよい。かかる構成では、薬液貯留部１が殺菌薬液で完全に満たされているかを容易に判断できる。
【００７３】
薬液貯留部１は、底部に凹凸を有してもよい。かかる構成では、無菌材料の底面を容易に殺菌薬液に接触させて滅菌できる。具体的には例えば、薬液貯留部１の底部に網が設けられてもよい。あるいは例えば、薬液貯留部１の底部にスポンジが設けられてもよい。あるいは例えば、薬液貯留部１の底部に剣山（先端部が全体として平面をなすように互いに平行に伸びる３以上の針の集合体）が設けられてもよい。底部に凹凸を有するとは、側面に突出部が設けられることで底面の高さが不均一となる場合を含む。この場合、突出部により無菌材料が薬液貯留部１の底面から浮くように保持され得る。
【００７４】
薬液貯留部１は、内部の無菌状態を維持したままで空気を供給または排出可能なフィルタ（無菌フィルタ）を備えた通気口を備えていてもよい。かかる構成では、無菌材料を移送した後、薬液貯留部１の内部を速やかに乾燥させることができる。
【００７５】
第１移送部１０は、無菌空間１５０の外部と薬液貯留部１との間を、無菌材料を移送可能に接続する。「移送可能に接続する」とは、無菌空間１５０の外部と薬液貯留部１との間を、第１移送部１０を通じて、無菌材料が移送可能であることをいう。
【００７６】
第１移送部１０は、気密ファスナーで構成されていてもよい。第１移送部１０は、薬液貯留部１に設けられた開口部であってもよい。開口部には水密に封止可能な蓋（例えば、水密扉、より詳しくはネジおよびパッキンを含む水密扉等）が設けられていてもよい。なお、第１移送部１０において、無菌空間１５０と薬液貯留部１とを分離する蓋、仕切り板等は必須ではない。例えば、第１移送部１０と第２移送部２０とが同一部材である場合に、かかる蓋、仕切り板等は、例えば、無菌空間側の装置が備えていてもよい。
【００７７】
第２移送部２０は、無菌空間１５０の内部と薬液貯留部１との間を、無菌材料の表面全体の無菌状態を維持したままで無菌材料を移送可能に接続する。「無菌状態を維持したままで無菌材料を移送可能に接続する」とは、無菌空間１５０の内部と薬液貯留部１との間を、第２移送部２０を通じて、無菌材料が移送可能であり、その際に、無菌材料の表面および無菌空間１５０の無菌状態が損なわれないことをいう。
【００７８】
第２移送部２０は、気密ファスナーで構成されていてもよい。第２移送部２０は、薬液貯留部１に設けられた開口部であってもよい。開口部には水密に封止可能な蓋（例えば、水密扉、より詳しくはネジおよびパッキンを含む水密扉等）が設けられていてもよい。なお、第２移送部２０において、無菌空間１５０と薬液貯留部１とを分離する蓋、仕切り板等は必須ではない。かかる蓋、仕切り板等は、例えば、無菌空間側の装置が備えていてもよい。
【００７９】
第２移送部２０と第１移送部１０とは別個独立に設けられていてもよい。なお、第２移送部２０と第１移送部１０とは必ずしも別個独立に設けられている必要はない。例えば、第２移送部２０と第１移送部１０とは同一部材であってもよい。具体的には例えば、薬液貯留部１が一方の端が封止され他方の端が開放された筒状の容器で構成され、第１移送部１０と第２移送部２０とが他方の端をなす開口部であってもよい。このとき容器は薬液貯留部１を構成する。この場合には例えば、無菌空間１５０の開口部に雄ネジが形成され、雌ネジが雄ネジに螺合することで容器が無菌空間１５０に取り付けられ得る。
【００８０】
無菌空間１５０開口部に容易に除去可能なプラスチックシートによる蓋が設置されていてもよい。この場合、第１移送部１０および第２移送部２０には蓋が不要である。かかる構成では、例えば、容器に無菌材料を入れた上で殺菌薬液をあふれるまで充填し、雌ネジと雄ネジとを螺合することで容器を無菌空間１５０に固定する。無菌材料の表面全体が殺菌薬液に接触するように無菌材料を浸漬することで、無菌材料の表面全体を滅菌する。このとき、プラスチックシートの全面にも殺菌薬液が接触することで、プラスチックシートも滅菌される。その後、プラスチックシートを無菌空間１５０側から除去することで、無菌材料の表面全体の無菌状態を維持したままで、無菌材料を無菌空間１５０へと取り出すことができる。
【００８１】
第２移送部２０が、水密に封止可能な蓋（例えば、水密扉、より詳しくはネジおよびパッキンを含む水密扉等）を備える場合、蓋の外側（無菌空間１５０側）は、無菌空間１５０の内部を滅菌する際に滅菌されてもよい。この場合、無菌空間１５０の内部を滅菌する前に、無菌空間１５０に第２移送部２０が接続される。滅菌方法は特に限定されず、例えば、殺菌薬液を用いて行われてもよいし、ガスを用いて行われてもよいし、オートクレーブを用いて行われてもよい。
【００８２】
薬液貯留部１と無菌空間１５０との間に蓋および仕切り板等を設けることなく、殺菌薬液自体で無菌空間１５０を外部から無菌に封止してもよい。殺菌薬液は無菌空間１５０に直接露出する。この場合において、例えば、殺菌薬液を薬液貯留部１に貯留したままの状態で無菌空間１５０の滅菌が行われてもよい。無菌空間１５０の滅菌は、気体状の殺菌剤、ドライミスト、殺菌薬液等の任意の殺菌手段を用いて実行されうる。
【００８３】
無菌材料移送装置１００は、いわゆるパスボックスとして構成されうる。
【００８４】
第１実施形態によれば、迅速にかつ低コストで、無菌空間の無菌状態を維持したまま、無菌空間の外部と無菌空間の内部との間で無菌材料を移送できる。より具体的には例えば、無菌空間の外部から無菌空間の内部へと無菌材料（培養細胞、培地等）を搬入するに当たり、当該搬入に伴って無菌空間の汚染が発生する可能性を低減することが、迅速にかつ低コストで実現可能となる。あるいは例えば、無菌空間の内部から無菌空間の外部へと無菌材料（成果物、廃棄物等）を搬出するに当たり、当該搬出に伴って無菌空間の汚染が発生する可能性を低減することが、迅速にかつ低コストで実現可能となる。
【００８５】
［変形］
第１実施形態の無菌材料移送方法において、無菌空間１５０の外部および薬液貯留部１を接続する第１移送部１０を開放させると共に、無菌空間１５０の内部および薬液貯留部１を無菌に接続する第２移送部２０を封止するステップ（ステップＤ）と、無菌空間１５０の外部から薬液貯留部１へと無菌材料を収容するステップ（ステップＥ）と、第１移送部１０を封止して薬液貯留部１を殺菌薬液で完全に満たすことで、無菌空間１５０の外部と無菌空間１５０の内部との間を無菌に封止すると共に、殺菌薬液に無菌材料の表面全体が接触するように無菌材料を浸漬させて無菌材料の表面全体を滅菌するステップ（ステップＦ）と、第１移送部１０を封止すると共に第２移送部２０を開放するステップ（ステップＧ）と、薬液貯留部１から無菌空間１５０へと無菌材料を取り出すステップ（ステップＨ）とを含んでもよい。ステップＦは、ステップＡおよびステップＢに相当する。ステップＤ、ステップＥ、ステップＦ、ステップＧ、ステップＨはこの順に実行される。
【００８６】
この変形では、第１移送部１０および第２移送部２０は開閉可能に構成されている。
【００８７】
ステップＤに関し、「第１移送部を開放させる」とは、無菌空間１５０の外部から薬液貯留部１へと第１移送部１０を通じて無菌材料を導入することを可能にすることを言う。また、「無菌空間の内部および薬液貯留部を無菌に接続する」とは、無菌空間の内部から薬液貯留部に至る空間の無菌状態を維持しながら、無菌空間の内部と薬液貯留部とを接続することをいう。薬液貯留部１の内部が無菌に維持されている限り、第２移送部２０を開放しても無菌空間１５０の無菌状態は損なわれない。
【００８８】
ステップＥにおける無菌材料の収容は、第１移送部１０を通じて行われる。
【００８９】
ステップＦに関し、薬液貯留部１への殺菌薬液の供給は、薬液供給部（図示せず）を通じて行われる。薬液供給部１は第１移送部１０と共通であってもよいし、第２移送部２０と共通であってもよい。薬液貯留部を殺菌薬液で完全に満たすことで、薬液貯留部の内壁面が殺菌薬液に接触して滅菌されうる。
【００９０】
ステップＧに関し、「第１移送部１０を封止する」とは、封止されている第１移送部１０の状態をそのまま維持する操作を含む。
【００９１】
ステップＨにおける無菌材料の取り出しは、第２移送部２０を通じて行われる。
【００９２】
第１移送部１０が開放されていると、無菌空間１５０を無菌化するために、第２移送部２０を封止する必要が生じる場合が考えられる。無菌空間１５０が直接的に第２移送部２０に連通している場合等がこれに当たる。この場合、無菌空間１５０の無菌化に先立ち、第２移送部２０が封止される。すなわち、ステップＤにおいて、第２移送部２０の封止は、第１移送部１０の開放よりも前に行われてもよい。
【００９３】
第２移送部２０の構成に応じて、ステップＦとステップＧとの間に、薬液貯留部１から殺菌薬液を排出するステップが実行されてもよい。
【００９４】
［第１変形例］
第１変形例は、第３の無菌材料移送方法および第６の無菌材料移送装置に対応するものである。図２は、第１実施形態の第１変形例にかかる無菌材料移送装置の概略構成の一例を示す模式図である。以下、図２を参照しつつ、第１変形例の無菌材料移送方法および無菌材料移送装置について説明する。
【００９５】
第１変形例にかかる無菌材料移送方法は、無菌空間１５０の外部から薬液貯留部１へと無菌材料を収容する前に、薬液貯留部１に殺菌薬液を貯留し、無菌空間１５０の外部から薬液貯留部１へと無菌材料を収容した後に、薬液貯留部１に残留する空気を吸引することで、薬液貯留部１を殺菌薬液で完全に満たす。
【００９６】
第１変形例にかかる無菌材料移送方法は、上記変形にかかる無菌材料移送方法の一例である。薬液貯留部１に残留する空気を吸引するステップは、ステップＦの一例である。
【００９７】
図２に示すように、第１変形例にかかる無菌材料移送装置２００は、流体排出部３０を備える。
【００９８】
流体排出部３０は、第１移送部１０と第２移送部２０とを封止した状態で薬液貯留部１から空気および殺菌薬液の少なくともいずれか一方を含む流体を排出するための構成である。
【００９９】
流体排出部３０は、雑菌等の通過を防止する無菌フィルタを備えていてもよい。フィルタとしては、例えば、ＨＥＰＡフィルタ、ＵＬＰＡフィルタ、シリンジフィルタ、メンブランフィルタ等を使用することができる。
【０１００】
流体排出部３０が設けられる位置は特に限定されない。流体排出部３０が空気を排出するものである場合には、流体排出部３０は薬液貯留部１の上部に設けられ得る。流体排出部３０が空気および殺菌薬液を排出するものである場合には、流体排出部３０は薬液貯留部１の上部に設けられ得る。かかる構成では、薬液貯留部１の上部に溜まった空気を、流体排出部３０を通じて容易に排出できる。流体排出部３０が殺菌薬液を排出するものである場合には、流体排出部３０は薬液貯留部１の下部に設けられ得る。かかる構成では、薬液貯留部１から殺菌薬液を、重力の作用を利用して、流体排出部３０を通じて容易に排出できる。薬液貯留部１と無菌空間１５０との間に開口部を設け、該開口部を通じて殺菌薬液の排出時に薬液貯留部１へと空気が供給されてもよい。
【０１０１】
流体排出部３０と第１移送部１０とは別個独立に設けられていてもよい。なお、流体排出部３０と第１移送部１０とは必ずしも別個独立に設けられている必要はない。例えば、流体排出部３０と第１移送部１０とは同一部材であってもよい。流体排出部３０と第１移送部１０とはその一部が同一部材で構成されていてもよい。例えば、流体排出部３０および第１移送部１０を気密ファスナーで構成して、無菌材料を薬液貯留部１へ収容する場合（気密ファスナーを第１移送部１０として機能させる場合）には気密ファスナーを全開とし、空気を排出する場合（気密ファスナーを流体排出部３０として機能させる場合）には気密ファスナーを部分的に閉止してもよい。
【０１０２】
殺菌薬液は、第１移送部１０を通じて薬液貯留部１へと供給されてもよいし、流体排出部３０を通じて薬液貯留部１へと供給されてもよい。
【０１０３】
第１変形例において、薬液貯留部１は、容積を調節可能である。容積を調節可能な構成では、空気を吸引することで薬液貯留部１を殺菌薬液で満たすことが容易となる。具体的には例えば、薬液貯留部１は、柔軟性のある材料（プラスチックフィルム等）で構成されていてもよい。柔軟性があるとは、空気の出し入れによって薬液貯留部１の容積が容易に変化しうる程度の柔軟性をいう。あるいは例えば、薬液貯留部１が、薬液貯留部１の内部空間に連通するシリンダを備えてもよい。シリンダの位置を変更することで、薬液貯留部１の容積を容易に変更できる。
【０１０４】
薬液貯留部１が柔軟性のある材料で構成されている場合において、第２移送部２０が気密ファスナで構成されていてもよい。気密ファスナは、柔軟性のある材料にも容易に取り付けることができる。
【０１０５】
第１変形例では、第１移送部１０と第２移送部２０とが別個独立に設けられていてもよい。第１移送部１０と第２移送部２０と流体排出部３０とがそれぞれ別個独立に設けられていてもよい。
【０１０６】
以上の他、無菌材料移送装置２００は、無菌材料移送装置１００と同様の構成とすることができる。よって、図２と図１とで共通する構成要素については同一の符号を付して、詳細な説明を省略する。
【０１０７】
［第２変形例］
第２変形例は、第４の無菌材料移送方法および第７の無菌材料移送装置に対応するものである。図３は、第１実施形態の第２変形例にかかる無菌材料移送装置の概略構成の一例を示す模式図である。以下、図３を参照しつつ、第２変形例の無菌材料移送方法および無菌材料移送装置について説明する。
【０１０８】
第２変形例にかかる無菌材料移送方法は、無菌空間１５０の外部から薬液貯留部１へと無菌材料を収容した後に、薬液貯留部１に殺菌薬液を注入することで、薬液貯留部１を殺菌薬液で完全に満たす。
【０１０９】
第２変形例にかかる無菌材料移送方法は、上記変形にかかる無菌材料移送方法の一例である。薬液貯留部１に殺菌薬液を注入するステップは、ステップＦの一例である。
【０１１０】
図３に示すように、第２変形例にかかる無菌材料移送装置３００は、薬液注入部４０と流体排出部５０とを備える。
【０１１１】
薬液注入部４０は、第１移送部１０と第２移送部２０とを封止した状態で薬液貯留部１に殺菌薬液を注入するための構成である。空気抜きは、薬液注入部４０を通じて行われてもよいし、流体排出部５０を通じて行われてもよい。薬液注入部４０は、薬液貯留部１の上部に設けることができる。
【０１１２】
空気抜きが薬液注入部４０を通じて行われる構成において、薬液注入部４０は、雑菌等の通過を防止する無菌フィルタを備えていてもよい。無菌フィルタとしては、例えば、ＨＥＰＡフィルタ、ＵＬＰＡフィルタ、シリンジフィルタ、メンブランフィルタ等を使用することができる。
【０１１３】
薬液注入部４０と第１移送部１０とは別個独立に設けられていてもよい。なお、薬液注入部４０と第１移送部１０とは必ずしも別個独立に設けられている必要はない。例えば、薬液注入部４０と第１移送部１０とは同一部材であってもよい。薬液注入部４０と第１移送部１０とはその一部が同一部材で構成されていてもよい。
【０１１４】
例えば、薬液注入部４０および第１移送部１０を気密ファスナーで構成して、無菌材料を薬液貯留部１へ収容する場合（気密ファスナーを第１移送部１０として機能させる場合）には気密ファスナーを全開とし、殺菌薬液を供給する場合（気密ファスナーを薬液注入部４０として機能させる場合）には気密ファスナーを部分的に閉止してもよい。
【０１１５】
流体排出部５０は、第１移送部１０と第２移送部２０とを封止した状態で薬液貯留部１から空気および殺菌薬液の少なくともいずれか一方を含む流体を排出するための構成である。流体排出部５０は、薬液を排出する薬液排出部として構成されてもよい。この場合、流体排出部５０は、薬液貯留部１の下部に設けることができる。かかる構成では、重力の作用を利用して、薬液貯留部１の内部の殺菌薬液を、流体排出部５０を通じて容易に排出できる。薬液貯留部１と無菌空間１５０との間に開口部を設け、該開口部を通じて殺菌薬液の排出時に薬液貯留部１へと空気が供給されてもよい。
【０１１６】
流体排出部５０と第１移送部１０とは別個独立に設けられていてもよい。なお、流体排出部５０と第１移送部１０とは必ずしも別個独立に設けられている必要はない。例えば、流体排出部５０と第１移送部１０とは同一部材であってもよい。流体排出部５０と第１移送部１０とはその一部が同一部材で構成されていてもよい。
【０１１７】
第２変形例では、第１移送部１０と第２移送部２０とが別個独立に設けられていてもよい。第１移送部１０と第２移送部２０と薬液注入部４０と流体排出部５０とが別個独立に設けられていてもよい。
【０１１８】
第２変形例において、第１移送部１０および第２移送部２０のいずれか一方または両方は、薬液貯留部１に設けられた開口部であってもよい。開口部には水密に封止可能な蓋（例えば、水密扉、より詳しくはネジおよびパッキンを含む水密扉等）が設けられていてもよい。
【０１１９】
第２変形例では、第２移送部２０において、無菌空間１５０と薬液貯留部１とを分離する蓋、仕切り板等は必須ではない。かかる蓋、仕切り板等は、例えば、無菌空間側の装置が備えていてもよい。
【０１２０】
［第３変形例］
第３変形例は、第８の培養装置に対応するものである。第３変形例にかかる培養装置は、上述したいずれかの無菌材料移送装置と、無菌空間としての無菌操作室とを備える。無菌材料は細胞である。無菌操作室は無菌空間１５０と同様の構成とすることができる。無菌操作室の内部で細胞の培養を行うことができる。無菌操作室は細胞培養をするために必要な操作を行うところである。具体的には例えば、ガス透過性容器に、細胞を播種した培養容器を格納する。その上で、ガス透過性容器を培養器に入れて培養する。
【０１２１】
第３変形例にかかる培養装置は、例えば、再生医療等に用いる細胞および組織等の培養に用いることができる。
【０１２２】
第１実施形態は、上述の無菌材料移送装置と、無菌空間としての無菌操作室と、を備える無菌操作装置としても実現可能である。
【０１２３】
［実施例］
実施例にかかる無菌材料移送方法および無菌材料移送装置は、第２変形例をより具体化したものである。図４ないし図７は、実施例にかかる無菌材料移送方法を模式的に示す図である。図４は無菌空間と薬液貯留部とを用意するステップを示す。図５は無菌空間と薬液貯留部とを接合するステップを示す。図６は薬液貯留部に殺菌薬液を貯留して、無菌空間の外部と無菌空間の内部との間を無菌に封止し、かつ、殺菌薬液に無菌材料の表面全体が接触するように無菌材料を浸漬させるステップを示す。図７は表面が滅菌された無菌材料を薬液貯留部から無菌空間へと移動させるステップを示す。
【０１２４】
図４に示すように、実施例の無菌材料移送装置は、全体として円筒状をなし、蓋５１と、薬液排出口５２と、薬液注入口５４と薬液容器６０と、雄ネジ部６２とを備えている。
【０１２５】
蓋５１を薬液容器６０から取り外した時にできる第１移送口５６は、第１移送部の一例である。雄ネジ部６２の開口部である第２移送口６４は、第２移送部の一例である。移送容器６０の内部空間は、薬液貯留部の一例である。薬液排出口５２は、流体排出部５０の一例である。薬液注入口５４は、薬液注入部４０の一例である。
【０１２６】
蓋５１は、ポリエチレン樹脂で構成される。薬液排出口５２は、ポリエチレン樹脂で構成された蛇口が蓋５１に取り付けられて構成される。薬液注入口５４は、ポリエチレン樹脂で構成されたチューブが蓋５１に取り付けられて構成される。移送容器６０は、内部の状態が確認しやすいように、無色透明のアクリル樹脂で構成される円筒状の容器である。雄ネジ部６２は、ポリエチレン樹脂で構成される。雄ネジ部６２には、雌ネジ部６８（後述）のネジ溝と対応するネジ山が設けられている。
【０１２７】
図４には、上記の無菌材料移送装置に加え、無菌操作装置が図示されている。無菌操作装置は、全体として円筒状をなし、雌ネジ部６８と、無菌容器７０と、蓋７２と、グローブ７４とを備えている。無菌容器７０の内部空間が無菌空間に相当する。
【０１２８】
雌ネジ部６８は、ポリエチレン樹脂で構成される。雌ネジ部６８には、雄ネジ部６２のネジ山と対応するネジ溝が設けられている。無菌容器７０は、内部の状態が確認しやすいように、無色透明のアクリル樹脂で構成される円筒状の容器である。蓋７２は、ポリエチレン樹脂で構成される。グローブ７４は、ゴム製の長手袋である。
【０１２９】
無菌材料移送装置を無菌走査装置に取り付ける際には、雌ネジ部６８と雄ネジ部６２との間に、プラスチックシート６６が配置される。プラスチックシート６６は、ポリエチレン樹脂で構成される。プラスチックシート６６は、雌ネジ部６８の内径よりもやや大きい円形をなす。
【０１３０】
図５に示すように、無菌空間と薬液貯留部とを接合するステップでは、開口６７に第２移送口６４が挿入されて、雌ネジ部６８の雄ネジ部６２とが嵌め合わされ、締め付けられる。これにより、雌ネジ部６８の基部にプラスチックシート６６が固定される。この状態で、無菌容器７０の内部を滅菌することで無菌空間が構成される。
【０１３１】
さらに、無菌材料５８が、第１移送口５６を通じて薬液容器６０の内部に挿入され、蓋５１が薬液容器６０に取り付けられる。取り付けはネジ、接着剤、クリップ、パッキン等の任意の固定手段で行われる。
【０１３２】
図６に示すように、薬液貯留部に殺菌薬液を貯留して、無菌空間の外部と無菌空間の内部との間を無菌に封止し、かつ、殺菌薬液に無菌材料の表面全体が接触するように無菌材料を浸漬させるステップでは、薬液排出口５２を閉止した上で、薬液注入口５４から殺菌薬液が注入される。殺菌薬液としては、０．３６％過酢酸が用いられる。殺菌薬液が移送容器６０の内部を完全に充填することで、移送容器６０の内部および無菌材料の表面が滅菌される。
【０１３３】
図７に示すように、表面が滅菌された無菌材料を薬液貯留部から無菌空間へと移動させるステップでは、薬液注入口５４にシリンジフィルタを取り付けて雑菌が入らないようにして薬液注入口５４を開放した上で、薬液排出口５２を開放し、殺菌薬液を排出する。その後、グローブ７４を使ってプラスチックシート６６を破ると共に、無菌材料５８を無菌容器７０の内部へと移動させる。
【０１３４】
かかる操作により、無菌空間の無菌状態を維持したまま、迅速かつ安価に、無菌材料を無菌空間の外部から無菌空間の内部へと移送することができる。無菌材料移送装置は使い捨てとすることができる。
【０１３５】
本実施例では、無菌材料移送装置と無菌操作装置とが、互いに直径の等しい円筒形状であり、全体として１個の円筒をなす。かかる構成では、例えば、一方の端から空気を供給し、他方の端から排気を行って、空気を循環（更新）させる場合でも、乱流が起こり難いという利点がある。
【０１３６】
（その他）
本開示は、以下の態様でも実現可能である。
【０１３７】
搬入資材を入れた閉鎖された殺菌剤浸漬式パスボックス内の空間の中に、特に指定はされないが０．３６％過酢酸殺菌剤等の殺菌作用がある薬剤を満たし、１０分間の表面殺菌の後、満たされた殺菌剤を排出し、表面滅菌された資材を製造に用いる無塵および無菌環境に搬入する。
【０１３８】
搬入する資材はあらかじめ密封された容器内に入れ、無菌環境を維持または滅菌しておいてもよい。これにより液体浸漬式パスボックス内で表面滅菌のみ行うことで無塵および無菌環境を維持したまま搬入することが可能となる。
【０１３９】
殺菌剤浸漬式パスボックスに殺菌剤投入口と排出口があっても良い。投入口と排出口は開閉できる栓等を設けることが望ましい。また外部からの汚染された空気等を完全に排除できるよう投入口には滅菌フィルター等をベントとして用いても良い。
【０１４０】
資材底面の殺菌を確実とするため、パスボックスの底面に殺菌剤が浸透する素材を敷いても良い。または透過する金網等の透過性底面を設置しても良い。
【０１４１】
搬入する資材が軽量の場合は底面に殺菌剤が浸漬する十分な空間が確保されるが、その場合は殺菌剤が浸透または透過する底面を使わずとも良い。
【０１４２】
搬入または搬出の際にパスボックスに搬入口と搬出口が備わることが望まれる。搬入および搬出口の形態は問わないが、搬入および搬出の際に開放することが可能で、殺菌剤を満たす際には閉鎖し気密できることが望ましい。たとえば気密扉があり、気密ファスナーがあり、栓があり、ばね式密封瓶で用いられるばね式密封栓でも良い。
【０１４３】
この搬入および搬出口は殺菌剤浸漬式パスボックスに設置されていなくても、接続する無塵および無菌環境との接続口に備わっても良い。
【０１４４】
また、殺菌剤を排出しない殺菌剤浸漬式パスボックスとして、外部環境より侵入した気体のみを排出することで殺菌剤浸漬式パスボックス内を殺菌剤で満たす形態がある。
【０１４５】
資材の搬入口は気密できることが望ましい。また外部より侵入した汚染気体を完全に排除できるベントが備わっていることが望ましい。
【０１４６】
外部環境に接している殺菌剤浸漬式パスボックス搬入口を空け、殺菌剤に資材を漬けた後、搬入口を完全に閉じ気密する。次に滅菌フィルターが接続されたベントより外部環境より侵入した汚染気体を完全に吸い出す。
【０１４７】
殺菌剤浸漬式パスボックス内が殺菌剤で満たされたら、殺菌が達成される時間まで待機した後、あらかじめ達成してある無塵および無菌環境より搬入口を開け、資材を取り出す。
【０１４８】
この形式の殺菌剤浸漬式パスボックスはパスボックス内の汚染空気を完全に排出するため、パスボックスの内圧が変化しないよう樹脂製の柔らかい素材、例えば塩化ビニル等の柔軟性のあるバッグで構成することができる。
【０１４９】
また別の殺菌剤浸漬式パスボックスとして、外部環境からの汚染空気の侵入可能性がなく殺菌剤を注入ないし排出しない方式としてパスボックス開口部を殺菌剤で閉鎖した殺菌剤浸漬式パスボックスの形態がある。
【０１５０】
上記説明から、当業者にとっては、本開示の多くの改良や他の実施形態が明らかである。従って、上記説明は、例示としてのみ解釈されるべきであり、本開示を実行する最良の態様を当業者に教示する目的で提供されたものである。本開示の精神を逸脱することなく、その構造および／又は機能の詳細を実質的に変更できる。
【符号の説明】
【０１５１】
５０  蓋
５２  薬液排出口
５４  薬液注入口
５６  第１移送口
５８  無菌材料
６０  移送容器
６２  雄ネジ部
６４  第２移送口
６６  プラスチックシート
６７  開口
６８  雌ネジ部
７０  無菌容器
７２  蓋
７４  グローブ
【図１】
2017099622.tif 000003
【図２】
2017099622.tif 000004
【図３】
2017099622.tif 000005
【図４】
2017099622.tif 000006
【図５】
2017099622.tif 000007
【図６】
2017099622.tif 000008
【図７】
2017099622.tif 000009